(57)【要約】【課題】通常サイズのアイコンの見難い小型ディスプレイでも、ユーザ設定に係わるアイコンの視認性を悪化させず、判定が可能なＯＳＤ機能を実現する。【解決手段】デフォルト設定からユーザ操作により設定が変更された場合、ＯＳＤ（Ｏｎ  Ｓｃｒｅｅｎ  Ｄｉｓｐｌａｙ）を用いたアイコン表示は、画面３０ａのように、カメラの撮影画像をアイコン３１〜３３が邪魔しないサイズで画面の端部に表示していたので、小型ディスプレイでは見難く、誤設定の見落しが生じた。本発明では、変更された設定を表示する際、図２中に示した画面３０ｂのように、表示サイズを拡大したアイコン３１Ｌ，３２Ｌ，３３Ｌにより、視認性の向上を図ることができる。拡大アイコンの表示開始、終了をユーザ操作により行え、又拡大アイコン表示時にも撮影を可能とする。【選択図】          図２
2008234687.tif 000002
【特許請求の範囲】
【請求項１】
ディスプレイにＯＳＤ機能により装置状態又は動作条件を示すアイコン表示を可能としたディスプレイ付き電子装置であって、
装置の状態変化又は動作条件の設定変更を判定する装置条件判定手段と、
該装置条件判定手段によって変化が判定された装置の状態又は動作条件を示すアイコンを指定する手段と、
指定されたアイコンを指定される前のアイコンと異なった形態で表示するＯＳＤ表示制御手段と、
を備えたことを特徴とするディスプレイ付き電子装置。
【請求項２】
前記ＯＳＤ表示制御手段は、前記指定されたアイコンを指定される前のアイコンに比較して、色彩および形状の変化の少なくともいずれかを含むことによって、前記指定される前のアイコンと異なった形態で表示するものであることを特徴とする請求項１に記載のディスプレイ付き電子装置。
【請求項３】
前記ＯＳＤ表示制御手段は、前記指定されたアイコンを指定される前のアイコンに比較して、色彩および形状の少なくともいずれかの動的な変化によって、前記指定される前のアイコンと異なった形態で表示するものであることを特徴とする請求項１または２に記載のディスプレイ付き電子装置。
【請求項４】
前記ＯＳＤ表示制御手段は、前記指定されたアイコンを背景画像を被るサイズで表示するものであることを特徴とする請求項１〜３のいずれか１つに記載のディスプレイ付き電子装置。
【請求項５】
前記ＯＳＤ表示制御手段は、前記指定されたアイコンが異なった形態で表示された後、通常の表示形態に戻る場合、前記異なった形態を動的に変化させながら戻るように制御するものであることを特徴とする請求項１〜４のいずれか１つに記載のディスプレイ付き電子装置。
【請求項６】
前記ＯＳＤ表示制御手段は、前記指定されたアイコンが異なった形態に表示される場合、徐々に表れるフィードイン、および、通常の表示形態に戻る場合、徐々に消えるように戻るフェードアウトの少なくともいずれかの表示形態で表示するよう制御するものであることを特徴とする請求項１〜５のいずれか１つに記載のディスプレイ付き電子装置。
【請求項７】
入力操作により動作条件を設定するための操作手段を、さらに備え、
前記装置条件判定手段は、前記操作手段から行われた動作条件の設定変更を判定するものであることを特徴とする請求項１〜６のいずれか１つに記載のディスプレイ付き電子装置。
【請求項８】
前記ディスプレイ付き電子装置を操作する操作者が近接位置にあることを検知する人体検知手段を、さらに備え、
前記装置条件判定手段は、前記人体検知手段が操作者が近接位置にあることを検知した場合、前記設定変更を判定するものであることを特徴とする請求項１〜７のいずれか１つに記載のディスプレイ付き電子装置。
【請求項９】
前記人体検知手段は、赤外線センサ、距離センサ、接触センサ、光センサ、眼球検知センサ、視線検知センサ、および圧力感知センサの少なくともいずれかであることを特徴とする請求項１〜８のいずれか１つに記載のディスプレイ付き電子装置。
【請求項１０】
前記ＯＳＤ表示制御手段は、アイコンの拡大表示を含む指定される前のアイコンと異なった形態での表示を、設定条件に従って装置が起動可能な状態になったタイミングで行うように制御することを特徴とする請求項１〜９のいずれか１つに記載のディスプレイ付き電子装置。
【請求項１１】
前記ＯＳＤ表示制御手段は、アイコンの拡大表示を含む指定される前のアイコンと異なった形態での表示を、前記ディスプレイ付き電子装置の電源が入れられたタイミングで行うように制御するものであることを特徴とする請求項１〜１０のいずれか１つに記載のディスプレイ付き電子装置。
【請求項１２】
前記ＯＳＤ表示制御手段は、アイコンの拡大表示を含む指定される前のアイコンと異なった形態での表示を、前記ディスプレイ付き電子装置の電源が入れられた後、第１の所定時間後に行うように制御するものであることを特徴とする請求項１〜１１のいずれか１つに記載のディスプレイ付き電子装置。
【請求項１３】
前記ＯＳＤ表示制御手段は、アイコンの拡大表示を含む指定される前のアイコンと異なった形態での表示を、前記ディスプレイ付き電子装置の電源が入れられた後、前記第１の所定時間後から第２の所定時間後まで行うように制御するものであることを特徴とする請求項１２に記載のディスプレイ付き電子装置。
【請求項１４】
前記ディスプレイ付き電子装置がデジタルカメラである場合、前記ＯＳＤ表示制御手段は、アイコンの拡大表示を含む指定される前のアイコンと異なった形態での表示を、前記デジタルカメラがシャッターボタンの半押しによって駆動されて合焦機構が合焦したタイミングで行うように制御するものであることを特徴とする請求項１〜１３のいずれか１つに記載のディスプレイ付き電子装置。
【請求項１５】
前記ディスプレイ付き電子装置がデジタルカメラである場合、前記ＯＳＤ表示制御手段は、前記アイコンの異なった形態での表示を、液晶モニタ、電子ビュー・ファインダ（ＥＶＦ＝Ｅｌｅｃｔｒｏｎｉｃ  Ｖｉｅｗ  Ｆｉｎｄｅｒ）、および光学ファインダ内に配設される表示部の少なくともいずれかに表示するように制御するものであることを特徴とする請求項１〜１４のいずれか１つに記載のディスプレイ付き電子装置。
【請求項１６】
前記ＯＳＤ表示制御手段は、前記アイコンの拡大表示の開始、終了の少なくとも一方を、前記操作手段が受け付けたユーザからの指示操作入力によって行うようにしたことを特徴とする請求項１０〜１５のいずれか１つに記載のディスプレイ付き電子装置。
【請求項１７】
前記ＯＳＤ表示制御手段は、前記アイコンの拡大表示の終了時に拡大表示されたアイコンのサイズを徐々に縮小しながら背景画像の邪魔にならない表示サイズのときに占める所定位置に遷移させるようにしたことを特徴とする請求項１０〜１６のいずれか１つに記載のディスプレイ付き電子装置。
【請求項１８】
前記ＯＳＤ表示制御手段は、拡大表示させるアイコンを半透過画像として表示するものであることを特徴とする請求項１〜１７のいずれか１つに記載のディスプレイ付き電子装置。
【請求項１９】
ディスプレイにＯＳＤ機能により装置状態又は動作条件を示すアイコン表示を可能としたディスプレイ付き電子装置を制御する情報処理方法であって、
装置条件判定手段によって、前記装置の状態変化又は動作条件の設定変更を判定させ、
アイコンを指定する手段によって、前記装置条件判定手段によって変化が判定された装置の状態又は動作条件を示すアイコンを指定させ、
ＯＳＤ表示制御手段によって、指定されたアイコンを指定される前のアイコンと異なった形態で前記ディスプレイにＯＳＤ表示させることを特徴とする情報処理方法。
【請求項２０】
請求項１９に記載の情報処理方法をコンピュータに実行させることを特徴とするプログラム。
【発明の詳細な説明】
【技術分野】
【０００１】
本発明は、ディスプレイ付き電子装置、情報処理方法、およびその方法をコンピュータに実行させるプログラムに関する。
【背景技術】
【０００２】
近年、デジタルスチルカメラ、デジタルカメラ付き携帯電話等が画像情報のメディアとして普及している。これらの装置では、画像情報を電子データ化して扱うことに伴い、多様な機能の提供が可能となる。
【０００３】
そうした機能の一つにＯＳＤ（Ｏｎ  Ｓｃｒｅｅｎ  Ｄｉｓｐｌａｙ）機能がある。ＯＳＤ機能は、これまでもユーザインターフェースとして利用されており、例えば、装置状態及び動作条件を示すアイコン或いはキャラクタ等の表示をディスプレイ画面上で主画像に重ねるような形式で行い、ユーザに対し設定された動作モード等をアイコン等により示したり、案内することによって、装置とユーザの間の対話を可能にする。
【０００４】
ＯＳＤ機能を備えた装置を示す従来例として、例えば、下記特許文献１を挙げることができる。特許文献１記載の発明は、デジタルカメラに関し、メモリカードに格納された画像データを再生、表示するモードと、スルーで撮影画像を表示するモードの動作を可能とし、表示装置であるＬＣＤの画面上で画像データと、カウンタ、日付、撮影条件等を示すキャラクタデータを合成して、オンスクリーン表示させることが示されている。なお、特許文献１記載の発明の課題は、上記した表示モード間で、スキャンスピードが異なることによりオンスクリーン表示するキャラクタデータの大きさに生じる変化をなくし、正常な表示を確保することにある。
【０００５】
【特許文献１】特開平１１−１４６２３４号公報
【発明の開示】
【発明が解決しようとする課題】
【０００６】
しかしながら、ユーザインターフェースとして利用するＯＳＤ機能を比較的小型のディスプレイを備えたデジタルカメラや携帯電話等の装置で実現が可能になり、かつ近時、多機能化が進み種々の機能の設定を行うことが可能になってくると、多数のアイコンを限られた大きさの画面に表示することになって、個々のアイコンは小さくならざるを得ない。
【０００７】
アイコンを小さくすると、キャラクタ（文字）で設定を示した場合などでは、表示がつぶれ、視認性が悪くなり、ユーザによる設定の確認もし難くなって、誤った設定で機能を実行してしまうことが起き得る。また、視認性の悪化を避けるために表示を大きくすると、ベースに画像データがある場合には、それを隠してしまったり、さらに、表示しきれないアイコンがでたり、といった不具合が生じる。
【０００８】
本発明は、上記した従来技術の問題点に鑑み、これを解決するためになされたもので、その解決課題は、ＯＳＤ機能により装置状態及び動作条件を示すアイコン表示を可能にしたディスプレイ付き電子装置において、必要なアイコンを最大限表示し得るようにした場合にも、ユーザの判定が必要なアイコンについては視認性を悪化させること無く、その確認を可能にするＯＳＤ機能を実現することにあり、そのようなディスプレイ付き電子装置、情報処理方法、およびその方法をコンピュータに実行させるプログラムを提供することにある。
【課題を解決するための手段】
【０００９】
請求項１にかかる発明は、ディスプレイにＯＳＤ機能により装置状態又は動作条件を示すアイコン表示を可能としたディスプレイ付き電子装置であって、装置の状態変化又は動作条件の設定変更を判定する装置条件判定手段と、該装置条件判定手段によって変化が判定された装置の状態又は動作条件を示すアイコンを指定する手段と、指定されたアイコンを指定される前のアイコンと異なった形態で表示するＯＳＤ表示制御手段と、を備えたことを特徴とする。
【００１０】
また、請求項２にかかる発明は、請求項１に記載のディスプレイ付き電子装置において、前記ＯＳＤ表示制御手段は、前記指定されたアイコンを指定される前のアイコンに比較して、色彩および形状の変化の少なくともいずれかを含むことによって、前記指定される前のアイコンと異なった形態で表示するものであることを特徴とする。
【００１１】
また、請求項３にかかる発明は、請求項１または２に記載のディスプレイ付き電子装置において、前記ＯＳＤ表示制御手段は、前記指定されたアイコンを指定される前のアイコンに比較して、色彩および形状の少なくともいずれかの動的な変化によって、前記指定される前のアイコンと異なった形態で表示するものであることを特徴とする。
【００１２】
また、請求項４にかかる発明は、請求項１〜３のいずれか１つに記載のディスプレイ付き電子装置において、前記ＯＳＤ表示制御手段は、前記指定されたアイコンを背景画像を被るサイズで表示するものであることを特徴とする。
【００１３】
また、請求項５にかかる発明は、請求項１〜４のいずれか１つに記載のディスプレイ付き電子装置において、前記ＯＳＤ表示制御手段は、前記指定されたアイコンが異なった形態で表示された後、通常の表示形態に戻る場合、前記異なった形態を動的に変化させながら戻るように制御するものであることを特徴とする。
【００１４】
また、請求項６にかかる発明は、請求項１〜５のいずれか１つに記載のディスプレイ付き電子装置において、前記ＯＳＤ表示制御手段は、前記指定されたアイコンが異なった形態に表示される場合、徐々に表れるフィードイン、および、通常の表示形態に戻る場合、徐々に消えるように戻るフェードアウトの少なくともいずれかの表示形態で表示するよう制御するものであることを特徴とする。
【００１５】
また、請求項７にかかる発明は、請求項１〜６のいずれか１つに記載のディスプレイ付き電子装置において、入力操作により動作条件を設定するための操作手段を、さらに備え、前記装置条件判定手段は、前記操作手段から行われた動作条件の設定変更を判定するものであることを特徴とする。
【００１６】
また、請求項８にかかる発明は、請求項１〜７のいずれか１つに記載のディスプレイ付き電子装置において、前記ディスプレイ付き電子装置を操作する操作者が近接位置にあることを検知する人体検知手段を、さらに備え、前記装置条件判定手段は、前記人体検知手段が操作者が近接位置にあることを検知した場合、前記設定変更を判定するものであることを特徴とする。
【００１７】
また、請求項９にかかる発明は、請求項１〜８のいずれか１つに記載のディスプレイ付き電子装置において、前記人体検知手段は、赤外線センサ、距離センサ、接触センサ、光センサ、眼球検知センサ、視線検知センサ、および圧力感知センサの少なくともいずれかであることを特徴とする。
【００１８】
また、請求項１０にかかる発明は、請求項１〜９のいずれか１つに記載のディスプレイ付き電子装置において、前記ＯＳＤ表示制御手段は、アイコンの拡大表示を含む指定される前のアイコンと異なった形態での表示を、設定条件に従って装置が起動可能な状態になったタイミングで行うように制御することを特徴とする。
【００１９】
また、請求項１１にかかる発明は、請求項１〜１０のいずれか１つに記載のディスプレイ付き電子装置において、前記ＯＳＤ表示制御手段は、アイコンの拡大表示を含む指定される前のアイコンと異なった形態での表示を、前記ディスプレイ付き電子装置の電源が入れられたタイミングで行うように制御するものであることを特徴とする。
【００２０】
また、請求項１２にかかる発明は、請求項１〜１１のいずれか１つに記載のディスプレイ付き電子装置において、前記ＯＳＤ表示制御手段は、アイコンの拡大表示を含む指定される前のアイコンと異なった形態での表示を、前記ディスプレイ付き電子装置の電源が入れられた後、第１の所定時間後に行うように制御するものであることを特徴とする。
【００２１】
また、請求項１３にかかる発明は、請求項１２に記載のディスプレイ付き電子装置において、前記ＯＳＤ表示制御手段は、アイコンの拡大表示を含む指定される前のアイコンと異なった形態での表示を、前記ディスプレイ付き電子装置の電源が入れられた後、前記第１の所定時間後から第２の所定時間後まで行うように制御するものであることを特徴とする。
【００２２】
また、請求項１４にかかる発明は、請求項１〜１３のいずれか１つに記載のディスプレイ付き電子装置において、前記ディスプレイ付き電子装置がデジタルカメラである場合、前記ＯＳＤ表示制御手段は、アイコンの拡大表示を含む指定される前のアイコンと異なった形態での表示を、前記デジタルカメラがシャッターボタンの半押しによって駆動されて合焦機構が合焦したタイミングで行うように制御するものであることを特徴とする。
【００２３】
また、請求項１５にかかる発明は、請求項１〜１４のいずれか１つに記載のディスプレイ付き電子装置において、前記ディスプレイ付き電子装置がデジタルカメラである場合、前記ＯＳＤ表示制御手段は、前記アイコンの異なった形態での表示を、液晶モニタ、電子ビュー・ファインダ（ＥＶＦ＝Ｅｌｅｃｔｒｏｎｉｃ  Ｖｉｅｗ  Ｆｉｎｄｅｒ）、および光学ファインダ内に配設される表示部の少なくともいずれかに表示するように制御するものであることを特徴とする。
【００２４】
また、請求項１６にかかる発明は、請求項１０〜１５のいずれか１つに記載のディスプレイ付き電子装置において、前記ＯＳＤ表示制御手段は、前記アイコンの拡大表示の開始、終了の少なくとも一方を、前記操作手段が受け付けたユーザからの指示操作入力によって行うようにしたことを特徴とする。
【００２５】
また、請求項１７にかかる発明は、請求項１０〜１６のいずれか１つに記載のディスプレイ付き電子装置において、前記ＯＳＤ表示制御手段は、前記アイコンの拡大表示の終了時に拡大表示されたアイコンのサイズを徐々に縮小しながら背景画像の邪魔にならない表示サイズのときに占める所定位置に遷移させるようにしたことを特徴とする。
【００２６】
また、請求項１８にかかる発明は、請求項１〜１７のいずれか１つに記載のディスプレイ付き電子装置において、前記ＯＳＤ表示制御手段は、拡大表示させるアイコンを半透過画像として表示するものであることを特徴とする。
【００２７】
また、請求項１９にかかる発明は、ディスプレイにＯＳＤ機能により装置状態又は動作条件を示すアイコン表示を可能としたディスプレイ付き電子装置を制御する情報処理方法であって、装置条件判定手段によって、前記装置の状態変化又は動作条件の設定変更を判定させ、アイコンを指定する手段によって、前記装置条件判定手段によって変化が判定された装置の状態又は動作条件を示すアイコンを指定させ、ＯＳＤ表示制御手段によって、指定されたアイコンを指定される前のアイコンと異なった形態で前記ディスプレイにＯＳＤ表示させることを特徴とする。
【００２８】
また、請求項２０にかかる発明は、プログラムであって、請求項１９に記載の情報処理方法をコンピュータに実行させることを特徴とする。
【発明の効果】
【００２９】
請求項１にかかる発明によると、装置の状態が変化又は動作条件の設定を変更した場合、設定変更前と異なった形態でアイコンを表示することができるので、設定変更を視認する視認性が向上し、設定の判定を確実に行うことができるという効果を奏する。
【００３０】
また、請求項２にかかる発明によると、設定変更に対応するアイコンを、設定前と比較して色彩や形状の変化が分かるように表示するので、設定変更を視認する視認性が向上し、設定の判定を確実に行うことができるという効果を奏する。
【００３１】
また、請求項３にかかる発明によると、設定変更に対応するアイコンの色彩や形状を動的に変化させながら表示するので、設定変更を視認する視認性が向上し、設定の判定を確実に行うことができるという効果を奏する。
【００３２】
また、請求項４にかかる発明によると、設定変更に対応するアイコンを背景画像を被るサイズで表示するので、設定変更を視認する視認性が向上し、設定の判定を確実に行うことができるという効果を奏する。
【００３３】
また、請求項５にかかる発明によると、設定変更に対応するアイコンを設定前と異なった形態で表示した後、通常の表示形態に動的に変化させながら戻るように表示するので、設定変更を視認する視認性が向上し、かつ、通常使用時には通常の形態で表示するので、設定の判定を確実に行うことができ、かつ通常の使用時の表示には差し支えないという効果を奏する。
【００３４】
また、請求項６にかかる発明によると、設定変更に対応するアイコンは異なった形態に表示される場合、徐々に表れるように表示され、また、通常の表示形態に戻る場合、徐々に消えるように戻るように表示されるので、設定変更を視認する視認性が向上し、設定の判定を確実に行うことができるという効果を奏する。
【００３５】
また、請求項７にかかる発明によると、操作者による操作によって動作条件が設定変更された場合に、アイコン形状を変化させて表示させるので、操作者が設定変更した場合に視認する視認性が向上し、設定の判定を確実に行うことができるという効果を奏する。
【００３６】
また、請求項８にかかる発明によると、操作者が近接位置にあることを検知した場合に、設定前と異なった形態でアイコンを表示するので、操作者が装置を操作する場合に、設定変更を視認する視認性が向上し、設定の判定を確実に行うことができるという効果を奏する。
【００３７】
また、請求項９にかかる発明によると、操作者が近接位置にあることを、赤外線センサ、距離センサ、接触センサ、光センサ、眼球検知センサ、視線検知センサ、および圧力感知センサなどによって自動的に検知して、指定前と異なった形態でアイコンを表示するので、操作者が装置を操作することを自動的に検知し、設定変更を視認する視認性が向上し、設定の判定を確実に行うことができるという効果を奏する。
【００３８】
また、請求項１０にかかる発明によると、装置を動作させる前に、設定を変更した動作条件のアイコンを表示させることによって、操作者が装置を操作する場合に、設定変更を視認する視認性が向上し、設定の判定を確実に行うことができるという効果を奏する。
【００３９】
また、請求項１１にかかる発明によると、ディスプレイ付き電子装置の電源が入ったタイミングで、設定変更に対応するアイコンを表示するので、設定変更を視認する視認性が向上し、設定の判定を確実に行うことができるという効果を奏する。
【００４０】
また、請求項１２にかかる発明によると、ディスプレイ付き電子装置の電源が入れられた後、第１の所定時間後に設定変更に対応するアイコンを表示するので、設定変更を視認する視認性が向上し、設定の判定を確実に行うことができるという効果を奏する。
【００４１】
また、請求項１３にかかる発明によると、ディスプレイ付き電子装置の電源が入れられた後、第１の所定時間後に設定変更に対応するアイコンを表示し、第２の所定時間後に通常表示に戻すので、操作者が電源を入れた場合に、設定変更を視認する視認性が向上するとともに、視認した後には通常のアイコンに戻すために、通常の表示手段における表示の視認をも妨げないという効果を奏する。
【００４２】
また、請求項１４にかかる発明によると、デジタルカメラに適用した場合において、設定変更に対応するアイコンを表示する場合、シャッターボタンを半押しにしてピントがあったタイミングで表示するので、一般の使用時には通常の視認性を妨げることなく、設定変更に対応するアイコンを視認する視認性を向上させることができるという効果を奏する。
【００４３】
また、請求項１５にかかる発明によると、デジタルカメラに適用した場合、設定変更に対応するアイコンの異なった形態での表示を、液晶モニタ、電子ビュー・ファインダ（ＥＶＦ＝Ｅｌｅｃｔｒｏｎｉｃ  Ｖｉｅｗ  Ｆｉｎｄｅｒ）、および光学ファインダ内に配設される表示部に表示することができるので、設定変更に対応するアイコンを視認する視認性を向上させることができるという効果を奏する。
【００４４】
また、請求項１６にかかる発明によると、設定変更に対応するアイコンの拡大表示の開始、終了を、ユーザの操作によって行うことができるので、誤認や操作ミスによる混乱を防ぐことができるという効果を奏する。
【００４５】
また、請求項１７にかかる発明によると、設定変更に対応するアイコンを拡大表示して終了時には、そのサイズを徐々に縮小して所定位置に遷移させるように動的に表示するので、設定条件の種類をレイアウトと関連付けて認識できて認識率が向上し誤設定を少なくすることができるという効果を奏する。
【００４６】
また、請求項１８にかかる発明によると、拡大表示させるアイコンを半透過画像として表示することにより、ベースにある画像の存在を意識しながら、設定の判定や装置の始動指示を行うことが可能になり、適切な判定や始動指示を可能にするという効果を奏する。
【００４７】
また、請求項１９にかかる発明によると、装置の状態が変化又は動作条件の設定を変更した場合、設定変更前と異なった形態でアイコンを表示することができるので、設定変更を視認する視認性が向上し、設定の判定を確実に行うことができるとディスプレイ付き電子装置を制御する情報処理方法を提供できるという効果を奏する。
【００４８】
また、請求項２０にかかる発明によると、請求項１９に記載の情報処理方法をコンピュータに実行させることができるという効果を奏する。
【発明を実施するための最良の形態】
【００４９】
本発明に係わるディスプレイ付き電子装置、情報処理方法、およびその方法をコンピュータに実行させるプログラムを、添付する図面とともに示す以下の実施形態に基づき説明する。なお、以下に示す実施形態は、デジタルカメラに適用した例を示すが、ＯＳＤ機能を用いたアイコン表示によって、動作モード等の設定を判定可能とする小型ディスプレイをユーザインターフェースとして装備した電子装置であれば、デジタルカメラ以外の装置にも、実施し得る。
【００５０】
図１は、本実施形態のデジタルカメラの基本構成を示すブロック図である。図１に示すデジタルカメラは、レンズ１、オートフォーカスを含むメカ機構２、ＣＣＤ（Ｃｈａｒｇｅ  Ｃｏｕｐｌｅｄ  Ｄｅｖｉｃｅ）３、ＣＤＳ（相関２重サンプリング）回路４、Ａ／Ｄ（アナログ／デジタル）変換器５、デジタル信号処理回路６、圧縮／伸張回路７、ＤＲＡＭ（Ｄｙｎａｍｉｃ  Ｒａｎｄｏｍ  Ａｃｃｅｓｓ  Ｍｅｍｏｒｙ）８、メモリカード９、ＬＣＤ（Ｌｉｑｕｉｄ  Ｃｒｙｓｔａｌ  Ｄｉｓｐｌａｙ  Ｄｅｖｉｃｅ）１０、ドライバ１１、ＳＧ（Ｓｙｎｃ  Ｇｅｎｅｒａｔｏｒ）１２、ＣＰＵ１３、操作部１４、ストロボ１５、マイク１６、ＡＭＰ／ＦＩＬＴＥＲ（アンプ／フィルタ）１７、Ｄ／Ａ変換器１８、音声データ圧縮／伸張回路１９、Ａ／Ｄ変換器２０、ＡＭＰ／ＦＩＬＴＥＲ２１、ＯＳＤ制御部２２、等を構成要素として備える。
【００５１】
レンズユニットは、レンズ１、オートフォーカス（ＡＦ）・絞り・フィルター部を含むメカ機構２等からなる。ＣＣＤ（電荷結合素子）３は、レンズユニットを介して入力した映像を電気信号（アナログ画像データ）に変換する。ＣＤＳ（相関２重サンプリング）回路４は、ＣＣＤ型撮像素子に対する低雑音化のための回路である。また、Ａ／Ｄ変換器５は、ＣＤＳ回路４を介してＣＣＤ３から入力したアナログ画像データをデジタル画像データに変換する。すなわち、ＣＣＤ３の出力信号は、ＣＤＳ回路４を通じてＡ／Ｄ変換器５で最適なサンプリング周波数にてデジタル信号に変換される。
【００５２】
また、デジタル信号処理部６は、Ａ／Ｄ変換器５から入力した画像データを色差データと輝度データに分けて各種処理、補正、及び画像圧縮／伸長のためのデータ処理を施す。
【００５３】
画像圧縮／伸長回路７は、例えば、ＪＰＥＧ準拠の画像圧縮／伸長の一過程である直交変換・逆直交変換、並びに、ＪＰＥＧ準拠の画像圧縮・伸長の一過程であるハフマン符号化・ハフマン復号化等を行う。
【００５４】
一方、音声は、マイク１６等の音声−電気信号変換素子により電気信号に変換されて音声データとなり、ＡＭＰ／ＦＩＬＴＥＲ１７により増幅され必要帯域にカットオフされた後、Ｄ／Ａ変換器１８により所定帯域の２倍以上のサンプリング周波数でデジタル音声データに変換される。更に、このデジタル音声データはデータ圧縮・伸長部１９により圧縮・符号化処理される。
【００５５】
ＤＲＡＭ８は、圧縮処理された画像データを一時的に格納する。メモリカード９には、圧縮された画像データは画像データファイルとして、圧縮された音声データは音声データファイルとしてメモリカード９に記録される。
【００５６】
また、ＬＣＤ１０には、ＣＣＤ３で撮影された画像データを直接、表示するほか、メモリカード９に記録されている画像データに応じた画像が表示される。また、ＬＣＤ１０には、設定されているデジタルスチルカメラの状態、例えば、設定されているモード表示やエラー表示等を、後記で詳述するＯＳＤ（Ｏｎ  Ｓｃｒｅｅｎ  Ｄｉｓｐｌａｙ）機能を用いて行う。
【００５７】
ＣＰＵ１３は、操作部１４からの指示、若しくは図示しないリモコン等の外部動作指示に応じて、ＲＯＭ２３に格納された制御プログラムに従って、デジタルスチルカメラの各部の動作を制御する。具体的には、ＣＰＵ１３は、画像データの記録動作の制御、画像データの再生動作の制御に関する制御指令を発する。また、ＣＰＵ１３は、ＲＯＭ２３に格納されたＯＳＤ制御プログラムに従って、ＯＳＤ制御部２２のアイコン表示に関する制御指令を発する。
【００５８】
操作部１４は、機能選択、撮影指示、及びその他の各種設定を外部から行うための操作ボタン等を備えている。ＯＳＤ制御部２２は、アイコンデータ（なお、ここでは、“アイコンデータ”という場合、カウンタ、時刻、日付の文字表示データや撮影条件等の表象データを含む）を発生して、所定周期のドットクロックのタイミングでデジタル信号処理回路６に出力する。
【００５９】
上記したデジタルカメラは、ＣＣＤ３で撮影され、メモリカード９に一旦格納された画像データをＬＣＤ１０に表示する再生モードと、ＣＣＤ３で撮影された画像データを直接、ＬＣＤ１０に表示するスルー画モードとを備えている。
【００６０】
次に、上記デジタルカメラの画像データの記録動作を説明する。先ず、レンズ１を介した被写体像は、ＣＣＤ３で電気信号（アナログ画像データ）に変換された後、ＣＤＳ４を経て、Ａ／Ｄ変換器５に入力され、アナログ画像データがデジタル画像データに変換される。変換されたデジタル画像データは、デジタル信号処理回路６で信号処理されて、ＣＰＵバスを介してＤＲＡＭ８に格納される。ＤＲＡＭ８に格納されたデジタル画像データは、ＣＰＵバスを介して圧縮／伸張回路７に入力され、圧縮処理されて、再び、ＤＲＡＭ８に格納される。圧縮処理が終了すると、ＣＰＵ１３は、ＤＲＡＭ８に格納されている圧縮処理された画像データを、ＣＰＵバスを介してメモリカード９に所定形態で画像データファイルとして記録する。
【００６１】
メモリカード９に格納された画像データの再生モードの動作では、操作部１４の操作により再生すべきメモリカード９の画像データファイルが指定されると、指定された画像データファイルの圧縮処理された画像データが読み出されて、ＤＲＡＭ８に格納される。このＤＲＡＭ８に格納された画像データは、ＣＰＵバスを介して圧縮／伸張回路７に入力され、伸張処理されて、再び、ＤＲＡＭ８に格納される。ＤＲＡＭ８に格納された伸張処理された画像データは、ＣＰＵバスを介してデジタル信号処理回路６に入力され、ビデオ信号に変換されてＬＣＤ１０に表示される。
【００６２】
撮像した画像データを直接表示するスルー画モードの動作では、先ず、レンズ１を介した被写体像は、ＣＣＤ３で電気信号（アナログ画像データ）に変換された後、ＣＤＳ４を経て、Ａ／Ｄ変換器５に入力され、アナログ画像データがデジタル画像データに変換される。変換されたデジタル画像データは、デジタル信号処理回路６により、信号処理がなされて一旦ＤＲＡＭ８に格納された後、ビデオ信号に変換されてＬＣＤ１０に表示される。
【００６３】
ＯＳＤ制御部２２は、ＣＰＵ１３から入力されるコマンドをデコードするコマンドデコーダと、アイコンデータジェネレータＲＯＭ（Ｒｅａｄ  Ｏｎｌｙ  Ｍｅｍｏｒｙ）２２ａから読み出されるアイコンデータが展開されるビデオＲＡＭ（ＶＲＡＭ）２２ｂと、ＣＰＵ１３から送出されるコマンドに対応するアイコンデータを出力するアイコンデータジェネレータＲＯＭ２２ａと、ドットクロックを出力コントローラに出力する発振回路と、ビデオＲＡＭ２２ｂに展開されたアイコンデータを、垂直同期信号及び水平同期信号に同期させて、発振回路から入力されるドットクロックのタイミングでデジタル信号処理回路６に送出する出力コントローラと、を備えている。
【００６４】
ＯＳＤ制御部２２は、操作部１４からの入力操作によって設定が変更された場合、ＣＰＵ１３が有する設定記憶メモリ２５を参照するＣＰＵ１３からの参照結果情報を受信し、設定変更されたアイテムを選択する。
【００６５】
ＣＰＵ１３からのコマンドデータを入力したＯＳＤ制御部２２では、デコードしたコマンドに指示されたアイコンデータをアイコンデータジェネレータＲＯＭ２２ａから読み出して、ビデオＲＡＭ２２ｂに展開した後、そのアイコンデータを出力コントローラによって、垂直同期信号及び水平同期信号に同期させて、発振回路から入力されるドットクロックのタイミングでデジタル信号処理回路６に送出する。
【００６６】
デジタル信号処理回路６は、再生すべきスルー画若しくは再生画と、ＯＳＤ制御部２２から入力されるアイコンデータを合成するとと共に、ＬＣＤ１０に表示可能なように信号変換を行った後、ＬＣＤ１０にオンスクリーン表示を行う。
【００６７】
センサ２４は、例えば、赤外線センサであって、操作者がデジタルカメラを操作するくらいに近接した位置にある時に、近接したことを検知する。赤外線センサが操作者を検知した場合、検知した信号はＣＰＵ１３に送信されて、ＯＳＤ制御部２２がＯＳＤ制御機能を実行可能になるように設定される。ここで、センサ２４としては、赤外線センサの他に、人体との距離を計測する距離センサ、人体との接触を検知する接触センサ、光で検知する光センサ、眼球を検知する眼球検知センサ、人間の視線を検知する視線検知センサ、あるいはデジタルカメラを把持した時の圧力を検知する圧力感知センサなどが適用可能である。いずれも、センサ２４は自動的に操作者が近接位置にあることを検知して、ＣＰＵ１３は、ＯＳＤ制御プログラムによってＯＳＤ制御機能を開始する。
【００６８】
またここで、ＬＣＤ１０は、一般にデジタルカメラの背面など配設されるモニタであって、撮影しようとする画像を表示したり、撮影後の画像を表示するために使用されるものである。
【００６９】
しかしながら、ＬＣＤ１０は、一般にデジタルカメラの背面に配設されるモニタに限らず、例えば、電子ビュー・ファインダ（ＥＶＦ＝Ｅｌｅｃｔｒｏｎｉｃ  Ｖｉｅｗ  Ｆｉｎｄｅｒ）に対しても適用可能である。また、ＬＣＤ１０は、光学ファインダ内に配設される表示部に表示するように適用することも可能である。本実施の形態ではデジタルカメラを例に挙げて説明しているが、一般の銀塩フィルム撮影カメラにおける光学ファインダのアイコン表示部に対しても適用可能である。
【００７０】
次に、上記のように構成するデジタルカメラにおいて、ユーザインタフェースとして用いるＯＳＤ機能について、さらに説明する。
【００７１】
本実施形態では、ＯＳＤ機能を用いたアイコン表示によって、ユーザが設定した動作モード等の設定を判定できるようにする。ここでは、ユーザが設定操作を行わない状態では、自動で撮影条件等の動作条件の設定をするオートモード、或いはデフォルトで撮影条件等の動作条件を定める方法をとることを前提とし、この様に装置によって予め定められたオートモードの設定がユーザ操作によって変更されたときには、変更された設定の判定を可能にする。つまり、オートモード、或いはデフォルトの設定で、ほとんどの場合、適正な撮影が可能であり、設定を変更するときは、ユーザが特別な意図を持って行った設定であり、撮影の失敗につながる可能性を含んでいることから、その判定が必要になる、という考え方に立っている。
【００７２】
図２は、実施の形態によるデジタルカメラのＯＳＤ機能によってＬＣＤ１０にアイコンが拡大されたことを示す模式図である。画面３０ａには、アイコンが邪魔にならない通常の表示であり、画面３０ｂは、撮影直前に拡大表示されたアイコンを示したものである。ユーザ設定の判定を可能にするＯＳＤ機能を用いたアイコン表示は設定操作時に行われ、従来、図２中の画面３０ａに示すように、表示画面のベースにあるカメラの撮影画像（背景画像）をアイコンが邪魔をしないサイズと位置を考慮して、画面の端部に表示するようにしていた（なお、図２中の画面３０ａに示す３つのアイコンは、いずれもデフォルト設定からユーザ操作により設定が変更された撮影条件であり、この例では、フラッシュ禁止３１、遠景３２、連写３３を示している）。従って、小型ディスプレイの場合には、アイコンが見難いために、撮影条件に誤設定があっても見落とすことがあった。
【００７３】
そこで、本実施形態では、ユーザ操作により変更された設定条件を表示する際に、図２中の画面３０ｂに示すように、設定内容を十分に判定できる、背景画像（カメラの撮影画像）の大部分に被るように（例えば、図２中画面３０ａに示すサイズを２〜４倍程度拡大）したアイコン３１Ｌ，３２Ｌ，３３Ｌの表示により、上記した問題を解消し、視認性の向上を図ることを可能にする。
【００７４】
ユーザ操作により設定が変更された撮影（動作）条件は、操作部１４に対する入力操作により変更した条件をＣＰＵ１３が制御データを記憶する設定記憶メモリ２５に保存し、電源をオフするか、次の入力操作により設定が変更されるまで保持しておく。従って、ＣＰＵ１３は、アイコンの拡大表示の際に、ユーザ設定があるかを設定記憶メモリ２５を判定し、そこにデータがあるという判定結果を得た場合には、設定内容から拡大表示すべきアイコンを特定し、その表示制御を行うためのコマンドをＯＳＤ制御部２２に送信する。ＯＳＤ制御部２２は、このコマンドを受けて、指示された拡大表示に用いるアイコンデータをＲＯＭから取り出し、デジタル信号処理回路６に出力する。なお、通常表示に用いるアイコンデータから演算処理により求める拡大表示用のデータを作成する方式によっても良い。
【００７５】
アイコンの拡大表示を行うタイミングは、設定操作を行なった時は、操作が正しく行われたかを確認する意味があるが、上述のように、電源がオフされるまでは、前回の設定が保持されるので、設定操作が行われなくても、撮影をする度に行う必要がある。また、拡大表示したアイコンは、図２中の画面３０ｂに示すように、表示画面のベースにあるカメラの撮影画像の大部分に被るように表示するので、撮影画像を完全に隠してしまうアイコンを用いる場合には、アイコンによる判定を済ませたときに拡大表示を終了させる制御を可能にして、図４に示すように、図中画面３５ａに示す拡大表示状態から画面３５ｂに示す通常の表示状態に戻すことができるようにすることが望ましい。
【００７６】
アイコンの拡大表示状態の開始、終了を制御する第１の方法は、ユーザの操作によりアイコンの拡大表示の開始、終了を指示する方法で、例えば、レリーズボタンの半押しで拡大表示を開始し、ボタンを半押しから元に戻すか、別のハードキーを押すかすることにより、表示を終了させる方法である。
【００７７】
また、第２の方法は、撮影条件が整ったとき、即ちレリーズ（シャッター）ボタンを押せば撮影が可能な状態になったときをＣＰＵ１３が判断して、アイコンの拡大表示を開始し、所定の時間の経過後に表示を終了させる方法で、装置が自動的に行う方法である。
【００７８】
さらに、上記第１と第２の方法を組み合わせ、即ち、開始か終了のいずれかを自動又はユーザ操作により行うようにする方法や自動又はユーザ操作を併用できるような方法を用いても良い。
【００７９】
また、拡大表示したアイコンは、図２中の画面３０ｂに示すように、表示画面のベースにあるカメラの撮影画像の大部分に被るので、撮影画像を完全に見えない状態で隠してしまうと、ユーザが撮影する被写体の画面構成を決める操作等を行うために不都合が生じる。
【００８０】
そこで、拡大表示させるアイコンを半透過画像として表示できるようにして、上記した不都合を回避する手段とする。半透過画像による表示方法を用いる場合、半透過／不透過をユーザが選択できる方式（例えば、表示時の操作、或いは前もって行うユーザ設定のアイタムとして用意する等）を採用することも可能である。拡大表示させるアイコンを半透過画像にする方法は、アイコンの拡大表示をユーザの操作により終了できない、即ち装置が自動で終了させる場合には、半透過画像を通して撮影画像を見ることができるので、そうした場合の有効な手段となる。なお、半透過画像を表示画面のベースにある画像に重ね合わせる方法は、公知の手段を適用することにより実施することが可能である。
【００８１】
さらに、カメラの撮影動作は、アイコンの拡大表示の動作とは関係無く、独立して行うことができるようにする。上記したアイコンを半透過画像にするアイデアにも示されているが、拡大表示するアイコンがその機能を果たすことを可能にする一方、可能な限り撮影動作を拘束することは回避すべきであるから、アイコンを拡大表示している場合にも、撮影動作が可能な状態、即ちレリーズ（シャッター）ボタンを押せば撮影できる状態にしておくようにする。こうした条件に従って制御を行うことにより、シャッターチャンスを逃さずに、適正な撮影が可能となる。
【００８２】
また、アイコンを拡大表示する動作は、デジタルカメラの電源をＯＮした時に開始するようにすることができる。これによって、撮影のためにＯＮすると同時に設定変更を視認することができるからである。
【００８３】
ここで、デジタルカメラの電源が入れられた後、設定変更に対応するアイコンを、操作者が電源を入れて一定時間後に表示する構成としても良い。電源を入れてすぐに撮影動作に移行しない場合が多いので、それに対応するためである。
【００８４】
また、デジタルカメラの電源が入れられた後、第１の所定時間後に設定変更に対応するアイコンを表示し、第２の所定時間後に通常表示に戻す構成としても良い。操作者は電源を入れた場合に、一定時間おいてから設定変更を視認し、一定時間で視認した後には通常の撮影動作を行うため、その時点では通常のアイコンに戻っているのが利便性が高いからである。
【００８５】
また、デジタルカメラで設定変更に対応するアイコンを表示する場合、シャッターボタンを半押しにしてピントがあったタイミングで表示する構成とすることができる。デジタルカメラのシャッターボタンを半押しにしてピントがあったタイミングで表示すると、シャッターボタンを半押しする直前まで被写体画面を見ることを拡大表示によって妨げらなく、半押しして始めて拡大表示が表れるので、被写体を視認する視認性と、変更に対応するアイコンを視認する視認性とを確保できるからである。
【００８６】
また、操作部１４において操作者が入力できる入力ボタンを備え、入力ボタンが操作者の押下を受け付けて入力信号を送信して、ＯＳＤ制御部２２がこの入力信号を受信することによって、拡大表示を開始、終了、および一時停止するなどのＯＳＤ機能を制御する構成とすることができる。これにより、操作者の自由度を向上させることができるからである。
【００８７】
ここで、ユーザ設定の判定を可能にするＯＳＤ機能を用いたアイコン表示制御の実施形態を示す。なお、以下に示す実施形態では、表示の開始と終了の制御を自動又はユーザ操作を併用した形態の例を示す。
【００８８】
図３は、本実施形態のアイコン表示制御のフローチャートである。図３のフローチャートを参照してＣＰＵ１３が実行するアイコン表示制御の動作を説明すると、先ず、設定条件に不備が無く、撮影条件が整っているかを判定する（ステップＳ１０１）。
【００８９】
撮影が可能な状態であることを確認する（ステップＳ１０１−ＹＥＳ）と同時に、ユーザ操作により変更された設定条件があるか、否かを判定する（ステップＳ１０２）。この処理は、ユーザ設定を保存しておくメモリ領域を調べた結果として得られ、あれば変更した設定条件としてその内容を憶えておく。
【００９０】
ユーザ操作により変更された設定条件が無ければ（ステップＳ１０２−ＮＯ）、ユーザ設定を判定する必要が無い（即ちアイコンの拡大表示はしない）ので、この動作フローを抜ける。
【００９１】
他方、ユーザ操作により変更された設定条件があれば（ステップＳ１０２−ＹＥＳ）、変更された設定条件を特定し、特定した設定条件に対応するアイコンを拡大表示の対象アイコンとして指定して、ＯＳＤ制御部２２にそのオンスクリーン表示のコマンドを送信することによって対象アイコンの拡大表示を開始する（ステップＳ１０３）。本実施形態では、アイコンの拡大表示を所定時間とする制御を行うので、この時に所定時間を計時するタイマーをオンにする。
【００９２】
また、本実施形態では、変更された設定条件のアイコンを拡大表示した画面でユーザが設定を確認した後、拡大表示したアイコンは、撮影する被写体の画像構成を決めるために邪魔になるので、アイコンの拡大表示を終了させることをユーザの操作により可能とする。そこで、このユーザによる確認操作を判定する処理を行う（ステップＳ１０４）。
【００９３】
ここで、ユーザによる確認操作があれば（ステップＳ１０４−ＹＥＳ）、アイコンの拡大表示を終了する（ステップＳ１０６）。この時に、所定時間を計時するタイマーをオフにして、この動作フローを抜ける。
【００９４】
ステップＳ１０４でアイコンを拡大表示した画面で変更された設定条件の確認をする、ユーザの操作がなければ（ステップＳ１０４−ＮＯ）、アイコンの拡大表示をする時間の経過を先にオンしたタイマーにより判定し（ステップＳ１０５）、所定時間が経過していなければ、ユーザの確認操作を判定するステップＳ１０４に戻す。
【００９５】
所定時間が経過していれば（ステップＳ１０５−ＹＥＳ）、アイコンの拡大表示を終了し（ステップＳ１０６）、所定時間を計時するタイマーをオフにして、この動作フローを抜ける。
【００９６】
図４は、実施の形態によるデジタルカメラのＯＳＤ機能によってＬＣＤ１０にアイコンが拡大された後に、通常表示に移りかわることを説明する図である。
【００９７】
ここで、上記したアイコンの拡大表示の終了時における画面上のアイコンの表示動作についての実施形態を次に示す。アイコンの拡大表示の終了時には、図４の画面３５ａから画面３５ｂの変化のように、単に拡大表示を止めるという方法によってもよいが、以下に示す実施形態では、さらにユーザ操作により変更された設定条件をユーザに意識させ、その認識率を高めることを可能とする形態を例示する。ここでは、拡大表示された対象アイコンのサイズを徐々に縮小しながら通常の小さいサイズで表示されるときに占める所定の位置に遷移させる。
【００９８】
図５は、本実施形態において、拡大表示されたアイコンの画面表示の経時変化を示す図である。図５には、撮影モード（不図示）の中のチューリップの花が模式的に描かれたような“接写モード”ボタンを押して、接写モードで撮影する機能をユーザ設定する場合に拡大表示される“チューリップの花”のアイコンを例示している。同図中の画面４１は、設定操作を行う前の画面で、画面４２は、設定操作を行った後に“チューリップの花”アイコン４１Ｌを拡大表示した画面である。
【００９９】
拡大表示終了時には、図５中の画面４２に示す拡大表示された“チューリップの花”アイコン４１Ｌの表示を同図中の画面４３に示す“チューリップの花”アイコン４１Ｍの様にサイズを縮小し、最終的に同図中の画面４４に示す“チューリップの花”アイコン４１Ｓのように通常の小さいサイズで表示されるときに占める所定の位置で表示するようにし、画面４２〜４４の間でアイコンのサイズを徐々に縮小しながら遷移させるような表示方法をとるようにする。このような表示方法をとることにより、拡大表示されたアイコンで明示される動作モード（機能）等の設定をレイアウトと関連付けて認識することによってユーザの認識率が向上し、ユーザ設定により設定を変更する場合の誤りを少なくすることが可能になる。
【０１００】
また、上記のようにユーザ設定により変更された動作モード（機能）等を示すアイコンの拡大表示を行う機能を用意したが、次に、この機能の利用をユーザが予め設定し、設定に従った利用を図ることを可能にした実施形態を示す。
【０１０１】
本実施形態でユーザ設定が可能とした点は、アイコンの拡大表示を行うか、否か、また、拡大表示を行う場合に、アイコン表示する動作モード（機能）等をさらに選択することを可能にする。
【０１０２】
図６は、本実施形態におけるアイコンの拡大表示機能を利用する際のユーザ設定画面６１と、設定に従う表示画面６２の例を示す図である。画面６１に示すように、設定項目は、それぞれの項目のＯＮ／ＯＦＦを入力操作により指示し得るようにしている。「変更対象の拡大表示」のＯＦＦは、この拡大表示機能を利用しない場合の設定で、利用する場合にはＯＮとする。「変更対象の拡大表示」をＯＮとした場合には、以下の「マクロ」「撮影モード」「ＡＦ／ＭＦ／ＳＮＡＰ／遠景」「ホワイトバランス」「露出補正」等の項目におけるユーザのＯＮ／ＯＦＦ設定に従い、不要（ＯＦＦ）とした項目の拡大表示はしない。
【０１０３】
図６の例では、「マクロ」「撮影モード」「ＡＦ／ＭＦ／ＳＮＡＰ／遠景」をそれぞれＯＮとしているので、同図画面６１中の４つのアイコンは、山アイコン（遠景）３２Ｌ、連写アイコン（撮影モード）３３Ｌ、フラッシュ禁止アイコン（撮影モード）３１Ｌ、花アイコン（マクロ）３４Ｌを拡大表示可能なアイコンであることを示している。このようにして、ユーザの要求に応えた動作を可能にする。
【０１０４】
なお、以上の説明では、ＬＣＤ１０に表示する構成として説明したが、例えば、電子ビュー・ファインダ（ＥＶＦ＝Ｅｌｅｃｔｒｏｎｉｃ  Ｖｉｅｗ  Ｆｉｎｄｅｒ）に対しても適用可能であり、ＬＣＤ１０の代わりにＥＶＦ（不図示）として同様に説明できる。
【０１０５】
図７は、本発明によるＯＳＤ機能を一眼レフカメラの光学ファインダに適用した場合の光学ファインダ内の表示を説明する模式図である。ここでは、ＬＣＤ１０に表示する代わりに、光学ファインダ内に配設される表示部に表示するよう構成した。光学ファインダに表示される枠部７０において、ここでのアイコンは、フラッシュ７１，接写モード７２、ＩＳＯ感度７３などが表示され、これらのアイコンに対応する設定が操作者によってなされた場合は、点灯することでその設定変更を強調表示する。
【０１０６】
ここで、光学ファインダのアイコン表示部７０は、デジタルカメラのみならず、銀塩フィルムに撮影する銀塩カメラにおける光学ファインダのアイコン表示部に対しても適用可能である。
【０１０７】
図８−１および８−２は、デフォルト状態からの機能を変更した場合にアイコンが変化して表示される例を説明する図である。画面８１は通常の表示画面である。いま接写モードが設定された場合、画面８２には接写モードを表示するアイコン８２ａが最初大きく表示され、時間的な経過と共に、アイコンは、画面８３〜８５におけるアイコン８３ａ〜８５ａのように変化して最終的には所定の位置に配置される。このように、設定の変化した直後には大きく表示し、徐々に小さくなって所定の位置に納まる表示を行うことによって、設定されたことを印象づけ、かつ所定時間後には、撮影の邪魔にならない位置に納めることができる。
【０１０８】
図９−１〜９−３は、接写モードに設定された状態から、遠景モードに設定を変更した場合にアイコンが変化して表示される例を説明する図である。画面９１は接写モードが設定されている通常の表示画面である。いま遠景モードが設定された場合、画面９２にはそれまで設定されていた接写モードを表示するアイコンが最初小さく表示され、時間的な経過と共に、画面９２〜９４におけるアイコン９２ａ〜９４ａのように大きく変化し、そして、画面９５に示すように消える。この場合、拡大されながら濃度が薄くなりフェードアウトするように消える形態であっても良い。それによって、接写モードが消えていったという印象を与えることができるからである。
【０１０９】
そして、続けて、画面９６に遠景モードを表すアイコン９６ａが表示されて、画面９７〜９９における遠景モードアイコン９７ａ〜９９ａの変化のように徐々に大きくなって表示される。このように、設定の変化した直後には小さく表示し、徐々に大きく表示することによって、遠景モードが新たに設定されたことを印象づけることができる。そして、接写モードと遠景モードとの切り替えにおいては、この切り替えを動的に大きさ変化する表示によって印象づけることができる。
【０１１０】
図１０−１、図１０−２は、設定された変更状態からデフォルト状態へ変更画面を説明する図である。設定された通常画面１０１が表示された状態において、操作者による操作入力を受け付ける操作部１４の中で、設定変更ボタン（不図示）を操作者が押下すると、設定されたアイコンが点滅する画面１０２に表示が切り替わる。あるいは、設定されたアイコンが拡大表示される画面１０３に切り替わることとしても良い。設定変更ボタンの押下を停止すると、もとの画面１０１に戻る。
【０１１１】
ここで、設定変更ボタンを押下し続けると、デフォルト状態への切り替えを受け付ける画面１０４が表示される。画面１０４中のＯＫ表示１０４ａにカーソルを合わせて、操作部１４の中のＯＫボタン（不図示）を押下すると、操作者による設定が全て排除され、もとのデフォルト設定に戻される。画面１０５は、戻されたデフォルト状態の画面である。
【０１１２】
図１１は、デフォルトと異なる設定がなされたアイコンを表示する例を説明する図である。画面１１１には、デフォルト状態と設定された現在の状態が比較して、アイコンだけでなく文字情報も加えて表示されている。画面１１２には、表示バー１１２ａを示す領域を設け、デフォルト設定と異なる設定のアイコン１１２ｂだけを表示している。画面１１３は、デフォルトと異なる設定のアイコンのみについては、下線を施して強調している。いずれも、デフォルトと比較して変更された設定のアイコンを強調する表示であって、操作者に変更設定を容易に気づかせることができるデザインとしている。
【０１１３】
このように本発明は、ディスプレイにＯＳＤ機能によりデジタルカメラの装置状態又は動作条件を示すアイコン表示を可能としたディスプレイ付きデジタルカメラを制御する情報処理方法をＣＰＵ１３がＲＯＭ２３に格納されたＯＳＤ制御プログラムを読み出して、プログラムの装置条件判定機能によって、デジタルカメラの状態変化又は動作条件の設定変更を判定させ、アイコンを指定する機能によって、変化が判定されたデジタルカメラの状態又は動作条件を示すアイコンを指定させ、ＯＳＤ表示制御機能によって、指定されたアイコンを指定される前のアイコンと異なった形態でＯＳＤ表示させる。
【０１１４】
このようにして、デジタルカメラを撮影する種々の設定状態が、デフォルト状態あるいは、直前の状態と比べて変化した場合、変更前と異なった形態でアイコンを表示することによって、設定変更を視認する視認性が向上し、設定の判定を確実に行うことが可能なり、操作者の設定に間違いによる撮影ミスを減少させることができる。
【産業上の利用可能性】
【０１１５】
以上のように本発明にかかるディスプレイ付き電子装置、情報処理方法、およびその方法をコンピュータに実行させるプログラムは、ディスプレイ付き電子装置における表示技術に有用であり、より特定すると、ＯＳＤ（Ｏｎ  Ｓｃｒｅｅｎ  Ｄｉｓｐｌａｙ）機能により装置状態及び動作条件を示すアイコン表示を可能にした、小型ディスプレイを備える撮影装置（例えば、デジタルカメラ）、ＰＤＡ（Ｐｅｒｓｏｎａｌ  Ｄｉｇｉｔａｌ  Ａｓｓｉｓｔａｎｔｓ）、携帯電話等のディスプレイ付き電子装置における表示技術に有用である。
【図面の簡単な説明】
【０１１６】
【図１】本発明の実施形態に係わるデジタルカメラの基本構成を示すブロック図である。
【図２】実施の形態によるデジタルカメラのＯＳＤ機能によってＬＣＤ１０にアイコンが拡大されたことを示す模式図である。
【図３】本実施形態のアイコン表示制御のフローチャートである。
【図４】実施の形態によるデジタルカメラのＯＳＤ機能によってＬＣＤ１０にアイコンが拡大された後に、通常表示に移りかわることを説明する図である。
【図５】本実施形態において、拡大表示されたアイコンの画面表示の経時変化を示す図である。
【図６】本実施形態におけるアイコンの拡大表示機能を利用する際のユーザ設定画面６１と、設定に従う表示画面６２の例を示す図である。
【図７】本発明によるＯＳＤ機能を一眼レフカメラの光学ファインダに適用した場合の光学ファインダ内の表示を説明する模式図である。
【図８−１】デフォルト状態からの機能を変更した場合にアイコンが変化して表示される例を説明する図である。
【図８−２】デフォルト状態からの機能を変更した場合にアイコンが変化して表示される例を説明する図である。
【図９−１】接写モードに設定された状態から、遠景モードに設定を変更した場合にアイコンが変化して表示される例を説明する図である。
【図９−２】接写モードに設定された状態から、遠景モードに設定を変更した場合にアイコンが変化して表示される例を説明する図である。
【図９−３】接写モードに設定された状態から、遠景モードに設定を変更した場合にアイコンが変化して表示される例を説明する図である。
【図１０−１】設定された変更状態からデフォルト状態へ変更画面を説明する図である。
【図１０−２】設定された変更状態からデフォルト状態へ変更画面を説明する図である。
【図１１】デフォルトと異なる設定がなされたアイコンを表示する例を説明する図である。
【符号の説明】
【０１１７】
６・・デジタル信号処理回路、    ９・・メモリカード、
１０・・ＬＣＤ（液晶表示装置）、  １３・・ＣＰＵ、
１４・・操作部、                  ２２・・ＯＳＤ（Ｏｎ  Ｓｃｒｅｅｎ  Ｄｉｓｐｌａｙ）制御部
【図１】
2008234687.tif 000003
【図２】
2008234687.tif 000004
【図３】
2008234687.tif 000005
【図４】
2008234687.tif 000006
【図５】
2008234687.tif 000007
【図６】
2008234687.tif 000008
【図７】
2008234687.tif 000009
【図８−１】
2008234687.tif 000010
【図８−２】
2008234687.tif 000011
【図９−１】
2008234687.tif 000012
【図９−２】
2008234687.tif 000013
【図９−３】
2008234687.tif 000014
【図１０−１】
2008234687.tif 000015
【図１０−２】
2008234687.tif 000016
【図１１】
2008234687.tif 000017
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
被写体を撮影する撮影手段と、当該撮影手段によって撮影した被写体の画像を表示するディスプレイとを備えた撮影機能付き電子装置であって、
前記被写体の画像を表示中のディスプレイ内に、撮影条件を示すアイコンを表示させるアイコン表示手段と、撮影条件を変更する撮影設定変更手段と、を備え、
前記撮影設定変更手段により撮影条件が変更される際には、前記ディスプレイ内に前記被写体の画像を表示した状態で、前記撮影設定変更手段により変更される撮影条件に対応する所定のアイコンを前記ディスプレイに表示させた後、所定時間の間に第一の操作部への操作があった場合には前記操作の直後に前記ディスプレイ内の所定位置に前記所定のアイコンを縮小表示し、前記所定時間の間に第一の操作部への操作がなかった場合には前記所定時間経過後に前記所定のアイコンを前記所定位置に縮小表示することを特徴とする撮影機能付き電子装置。
【請求項２】
前記所定のアイコンを徐々に縮小させて前記所定位置に縮小表示することを特徴とする請求項１に記載の撮影機能付き電子装置。
【請求項３】
被写体を撮影する撮影手段と、当該撮影手段によって撮影した被写体の画像を表示するディスプレイとを備えた撮影機能付き電子装置であって、
前記被写体の画像を表示中のディスプレイ内に、撮影条件を示すアイコンを表示させるアイコン表示手段と、撮影条件を変更する撮影設定変更手段と、を備え、
前記撮影設定変更手段により撮影条件が変更される際には、前記ディスプレイ内に前記被写体の画像を表示した状態で、前記撮影設定変更手段により変更される撮影条件に対応する所定のアイコンを前記ディスプレイ内の中央寄りの第一の所定位置に表示させた後、前記所定時間の間に第一の操作部への操作があった場合には前記操作の直後に前記ディスプレイ内の周辺寄りの第二の所定位置に前記所定のアイコンを縮小表示し、前記所定時間の間に前記第一の操作部への操作がなかった場合には前記所定時間経過後に前記所定のアイコンを前記第二の所定位置に縮小表示することを特徴とする撮影機能付き電子装置。
【請求項４】
前記所定のアイコンを徐々に縮小させて前記第二の所定位置に縮小表示することを特徴とする請求項３に記載の撮影機能付き電子装置。
【請求項５】
自動的に撮影条件を設定する撮影条件設定手段を備え、
前記撮影設定変更手段が、第二の操作部へ操作に基づいて前記撮影時設定手段が自動的に設定した撮影条件を変更することを特徴とする請求項１乃至４のいずれか１つに記載の撮影機能付き電子装置。
【請求項６】
前記撮影条件は、フラッシュ、露出、ホワイトバランス、１回の撮影指示に応じた撮影枚数、及び、合焦可能な距離、撮影モード、に関する条件を含むことを特徴とする請求項１乃至５のいずれか１つに記載の撮影機能付き電子装置。
【請求項７】
被写体を撮影する撮影手段と、当該撮影手段によって撮影した被写体の画像を表示するディスプレイと、前記被写体の画像を表示中のディスプレイ内に、撮影条件を示すアイコンを表示させるアイコン表示手段と、撮影条件を変更する撮影設定変更手段と、を備えた撮影機能付き電子装置の制御方法であって、
前記撮影設定変更手段により撮影条件が変更される際に、前記ディスプレイ内に前記被写体の画像を表示した状態で、前記撮影設定変更手段により変更される撮影条件に対応する所定のアイコンを前記ディスプレイに表示させるアイコン表示工程と、
前記所定時間の間に第一の操作部への操作があった場合には前記操作の直後に前記ディスプレイ内の所定位置に前記所定のアイコンを縮小表示し、前記前記所定時間の間に前記第一の操作部への操作がなかった場合には前記前記所定時間経過後に前記所定のアイコンを前記所定位置に縮小表示するアイコン縮小工程と、
を含むことを特徴とする撮影機能付き電子装置の制御方法。
【請求項８】
前記アイコン縮小工程が、前記所定のアイコンを徐々に縮小させて前記所定位置に縮小表示することを特徴とする請求項７に記載の撮影機能付き電子装置の制御方法。
【請求項９】
被写体を撮影する撮影手段と、当該撮影手段によって撮影した被写体の画像を表示するディスプレイと、前記被写体の画像を表示中のディスプレイ内に、撮影条件を示すアイコンを表示させるアイコン表示手段と、撮影条件を変更する撮影設定変更手段と、を備えた撮影機能付き電子装置の制御方法であって、
前記撮影設定変更手段により撮影条件が変更される際に、前記ディスプレイ内に前記被写体の画像を表示した状態で、前記撮影設定変更手段により変更される撮影条件に対応する所定のアイコンを前記ディスプレイ内の中央寄りの第一の所定位置に表示させるアイコン表示工程と、
前記所定時間の間に第一の操作部への操作があった場合には前記操作の直後に前記ディスプレイ内の周辺寄りの第二の所定位置に前記所定のアイコンを縮小表示し、前記前記所定時間の間に前記第一の操作部への操作がなかった場合には前記前記所定時間経過後に前記所定のアイコンを前記第二の所定位置に縮小表示するアイコン縮小工程と、
を含むことを特徴とする撮影機能付き電子装置の制御方法。
【請求項１０】
前記アイコン縮小工程が、前記所定のアイコンを徐々に縮小させて前記第二の所定位置に縮小表示することを特徴とする請求項９に記載の撮影機能付き電子装置の制御方法。
【請求項１１】
自動的に撮影条件を設定する撮影条件工程を備え、
前記アイコン表示工程は、前記撮影時設定工程において保持される前記撮影条件に基づいてアイコン表示するものであることを特徴とする請求項７乃至１０のいずれか１つに記載の撮影機能付き電子装置の制御方法。
【請求項１２】
前記撮影条件は、フラッシュ、露出、ホワイトバランス、１回の撮影指示に応じた撮影枚数、及び、合焦可能な距離、に関する条件を含むことを特徴とする請求項７乃至１１のいずれか１つに記載の撮影機能付き電子装置の制御方法。
【請求項１３】
請求項７乃至１２のいずれか１つに記載の撮影機能付き電子装置の制御方法をコンピューターに実行させることを特徴とするプログラム。
【手続補正３】
【補正対象書類名】明細書
【補正対象項目名】０００１
【補正方法】変更
【補正の内容】
【０００１】
本発明は、撮影機能付き電子装置、撮影機能付き電子装置の制御方法、及び、プ
ログラムに関する。
【手続補正４】
【補正対象書類名】明細書
【補正対象項目名】０００８
【補正方法】変更
【補正の内容】
【０００８】
本発明は、上記した従来技術の問題点に鑑み、これを解決するためになされたもので、モードの切り替えが把握しやすい撮影機能付き電子装置、撮影機能付き電子装置の制御方法、及び、プログラムを提供することにある。
【手続補正５】
【補正対象書類名】明細書
【補正対象項目名】０００９
【補正方法】変更
【補正の内容】
【０００９】
請求項１にかかる発明は、被写体を撮影する撮影手段と、当該撮影手段によって撮影した被写体の画像を表示するディスプレイとを備えた撮影機能付き電子装置であって、前記被写体の画像を表示中のディスプレイ内に、撮影条件を示すアイコンを表示させるアイコン表示手段と、撮影条件を変更する撮影設定変更手段と、を備え、前記撮影設定変更手段により撮影条件が変更される際には、前記ディスプレイ内に前記被写体の画像を表示した状態で、前記撮影設定変更手段により変更される撮影条件に対応する所定のアイコンを前記ディスプレイに表示させた後、所定時間の間に第一の操作部への操作があった場合には前記操作の直後に前記ディスプレイ内の所定位置に前記所定のアイコンを縮小表示し、前記所定時間の間に第一の操作部への操作がなかった場合には前記所定時間経過後に前記所定のアイコンを前記所定位置に縮小表示することを特徴とする。
【手続補正６】
【補正対象書類名】明細書
【補正対象項目名】００１０
【補正方法】変更
【補正の内容】
【００１０】
また、請求項２にかかる発明は、前記所定のアイコンを徐々に縮小させて前記所定位置に縮小表示することを特徴とする。
【手続補正７】
【補正対象書類名】明細書
【補正対象項目名】００１１
【補正方法】変更
【補正の内容】
【００１１】
また、請求項３にかかる発明は、被写体を撮影する撮影手段と、当該撮影手段によって撮影した被写体の画像を表示するディスプレイとを備えた撮影機能付き電子装置であって、前記被写体の画像を表示中のディスプレイ内に、撮影条件を示すアイコンを表示させるアイコン表示手段と、撮影条件を変更する撮影設定変更手段と、を備え、前記撮影設定変更手段により撮影条件が変更される際には、前記ディスプレイ内に前記被写体の画像を表示した状態で、前記撮影設定変更手段により変更される撮影条件に対応する所定のアイコンを前記ディスプレイ内の中央寄りの第一の所定位置に表示させた後、前記所定時間の間に第一の操作部への操作があった場合には前記操作の直後に前記ディスプレイ内の周辺寄りの第二の所定位置に前記所定のアイコンを縮小表示し、前記所定時間の間に前記第一の操作部への操作がなかった場合には前記所定時間経過後に前記所定のアイコンを前記第二の所定位置に縮小表示することを特徴とする。
【手続補正８】
【補正対象書類名】明細書
【補正対象項目名】００１２
【補正方法】変更
【補正の内容】
【００１２】
また、請求項４にかかる発明は、前記所定のアイコンを徐々に縮小させて前記第二の所定位置に縮小表示することを特徴とする。
【手続補正９】
【補正対象書類名】明細書
【補正対象項目名】００１３
【補正方法】変更
【補正の内容】
【００１３】
また、請求項５にかかる発明は、自動的に撮影条件を設定する撮影条件設定手段を備え、前記撮影設定変更手段が、第二の操作部へ操作に基づいて前記撮影時設定手段が自動的に設定した撮影条件を変更することを特徴とする。
【手続補正１０】
【補正対象書類名】明細書
【補正対象項目名】００１４
【補正方法】変更
【補正の内容】
【００１４】
また、請求項６にかかる発明は、前記撮影条件は、フラッシュ、露出、ホワイトバランス、１回の撮影指示に応じた撮影枚数、及び、合焦可能な距離、撮影モード、に関する条件を含むことを特徴とする。
【手続補正１１】
【補正対象書類名】明細書
【補正対象項目名】００１５
【補正方法】変更
【補正の内容】
【００１５】
また、請求項７にかかる発明は、被写体を撮影する撮影手段と、当該撮影手段によって撮影した被写体の画像を表示するディスプレイと、前記被写体の画像を表示中のディスプレイ内に、撮影条件を示すアイコンを表示させるアイコン表示手段と、撮影条件を変更する撮影設定変更手段と、を備えた撮影機能付き電子装置の制御方法であって、前記撮影設定変更手段により撮影条件が変更される際に、前記ディスプレイ内に前記被写体の画像を表示した状態で、前記撮影設定変更手段により変更される撮影条件に対応する所定のアイコンを前記ディスプレイに表示させるアイコン表示工程と、前記所定時間の間に第一の操作部への操作があった場合には前記操作の直後に前記ディスプレイ内の所定位置に前記所定のアイコンを縮小表示し、前記前記所定時間の間に前記第一の操作部への操作がなかった場合には前記前記所定時間経過後に前記所定のアイコンを前記所定位置に縮小表示するアイコン縮小工程と、を含むことを特徴とする。
【手続補正１２】
【補正対象書類名】明細書
【補正対象項目名】００１６
【補正方法】変更
【補正の内容】
【００１６】
また、請求項８にかかる発明は、前記アイコン縮小工程が、前記所定のアイコンを徐々に縮小させて前記所定位置に縮小表示することを特徴とする。
【手続補正１３】
【補正対象書類名】明細書
【補正対象項目名】００１７
【補正方法】変更
【補正の内容】
【００１７】
また、請求項９にかかる発明は、被写体を撮影する撮影手段と、当該撮影手段によって撮影した被写体の画像を表示するディスプレイと、前記被写体の画像を表示中のディスプレイ内に、撮影条件を示すアイコンを表示させるアイコン表示手段と、撮影条件を変更する撮影設定変更手段と、を備えた撮影機能付き電子装置の制御方法であって、前記撮影設定変更手段により撮影条件が変更される際に、前記ディスプレイ内に前記被写体の画像を表示した状態で、前記撮影設定変更手段により変更される撮影条件に対応する所定のアイコンを前記ディスプレイ内の中央寄りの第一の所定位置に表示させるアイコン表示工程と、前記所定時間の間に第一の操作部への操作があった場合には前記操作の直後に前記ディスプレイ内の周辺寄りの第二の所定位置に前記所定のアイコンを縮小表示し、前記前記所定時間の間に前記第一の操作部への操作がなかった場合には前記前記所定時間経過後に前記所定のアイコンを前記第二の所定位置に縮小表示するアイコン縮小工程と、を含むことを特徴とする。
【手続補正１４】
【補正対象書類名】明細書
【補正対象項目名】００１８
【補正方法】変更
【補正の内容】
【００１８】
また、請求項１０にかかる発明は、前記アイコン縮小工程が、前記所定のアイコンを徐々に縮小させて前記第二の所定位置に縮小表示することを特徴とする。
【手続補正１５】
【補正対象書類名】明細書
【補正対象項目名】００１９
【補正方法】変更
【補正の内容】
【００１９】
また、請求項１１にかかる発明は、自動的に撮影条件を設定する撮影条件工程を備え、前記アイコン表示工程は、前記撮影時設定工程において保持される前記撮影条件に基づいてアイコン表示するものであることを特徴とする。
【手続補正１６】
【補正対象書類名】明細書
【補正対象項目名】００２０
【補正方法】変更
【補正の内容】
【００２０】
また、請求項１２にかかる発明は、前記撮影条件は、フラッシュ、露出、ホワイトバランス、１回の撮影指示に応じた撮影枚数、及び、合焦可能な距離、に関する条件を含むことを特徴とする。
【手続補正１７】
【補正対象書類名】明細書
【補正対象項目名】００２１
【補正方法】変更
【補正の内容】
【００２１】
また、請求項１３にかかる発明は、撮影機能付き電子装置の制御方法をコンピューターに実行させることを特徴とする。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】変更
【補正の内容】
【００２９】
本願発明では、設定変更を視認する視認性が向上し、設定の判定を確実に行うことができるという効果を奏する。
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】変更
【補正の内容】
【００４９】
本発明に係わる撮影機能付き電子装置、撮影機能付き電子装置の制御方法、及び、プ
ログラムを、添付する図面とともに示す以下の実施形態に基づき説明する。なお、以下に示す実施形態は、デジタルカメラに適用した例を示すが、ＯＳＤ機能を用いたアイコン表示によって、動作モード等の設定を判定可能とする小型ディスプレイをユーザインターフェースとして装備した電子装置であれば、デジタルカメラ以外の装置にも、実施し得る。
【手続補正４６】
【補正対象書類名】明細書
【補正対象項目名】０１０９
【補正方法】変更
【補正の内容】
【０１０９】
そして、続けて、画面９６に遠景モードを表すアイコン９６ａが表示されて、画面９７〜９９における遠景モードアイコン９７ａ〜９９ａの変化のように徐々に小さくなって表示される。このように、設定の変化した直後には大きく表示し、徐々に小さく表示することによって、遠景モードが新たに設定されたことを印象づけることができる。そして、接写モードと遠景モードとの切り替えにおいては、この切り替えを動的に大きさ変化する表示によって印象づけることができる。
【手続補正４７】
【補正対象書類名】明細書
【補正対象項目名】０１１５
【補正方法】変更
【補正の内容】
【０１１５】
以上のように本発明にかかる撮影機能付き電子装置、撮影機能付き電子装置の制御方法、及び、プログラムは、ディスプレイ付き電子装置における表示技術に有用であり、より特定すると、ＯＳＤ（Ｏｎ  Ｓｃｒｅｅｎ  Ｄｉｓｐｌａｙ）機能により装置状態及び動作条件を示すアイコン表示を可能にした、小型ディスプレイを備える撮影装置（例えば、デジタルカメラ）、ＰＤＡ（Ｐｅｒｓｏｎａｌ  Ｄｉｇｉｔａｌ  Ａｓｓｉｓｔａｎｔｓ）、携帯電話等のディスプレイ付き電子装置における表示技術に有用である。